(57)【要約】      （修正有）【課題】構造が簡素化され計量と注出、塗布操作の簡単な計量式塗布容器を提供する。【解決手段】スクイズ可能な容器本体１と、吸い上げ管３を有し容器本体の口部１ａを密閉する中栓２と、この中栓の外表面にて起立し吸い上げ管につながる通路４ａを有する筒体4と、先端に開口５ａを有し筒体及び中栓を内側に納めて計量空間Ｋを区画形成するカバー５と、筒体に嵌合保持されカバーの開口５ａにおいて頭部６ａを露出させたまま液密状態で摺動する胴体６ｂを有するノズル６とを備えたものにて構成する。そして、ノズルに、中栓から離れる向きへスライドさせそのストローク端にて筒体の通路と計量空間とを連通させる第１の通路７と、中栓に近接する向きへスライドさせそのストローク端にてノズルの注出路６ｃと計量空間とを連通させる第２の通路８をそれぞれ設ける。【選択図】図１
2006117265.tif 000002
【特許請求の範囲】
【請求項１】
容器内の内容物を計量空間へ一旦排出して計量したのち、該計量空間の内容物のみをノズルを通して注出、塗布する計量塗布容器であって、
スクイズ可能な胴部を有しその内側に内容物を収納する容器本体と、この容器本体の底部へ伸びる吸い上げ管を有し該容器本体の口部を密閉する中栓と、この中栓の外表面にて起立し該吸い上げ管につながる通路を有する筒体と、先端に開口を有し該筒体及び中栓を内側に納めて計量空間を区画形成するカバーと、前記筒体の外側にスライド可能に嵌合保持されカバーの開口において頭部を露出させたまま液密状態で摺動する胴体を有するノズルとを備え、
前記ノズルに、中栓から離れる向きへスライドさせそのストローク端にて筒体の通路と計量空間とを連通させる第１の通路と、中栓に近接する向きへスライドさせそのストローク端にてノズルの注出路と計量空間とを連通させる第２の通路をそれぞれ設けたことを特徴とする計量式塗布容器。
【請求項２】
ノズルをカバーとともに覆い隠して容器の口部外壁に係合保持されるオーバーキャップを備え、
該オーバーキャップは、その天面壁の内側にノズルの頭部に着脱自在に嵌合する凹部と、該ノズルのストロークよりも大きな係合代を有する請求項１記載の計量式塗布容器。
【請求項３】
中栓から離れる向きへのスライドによるノズルのストローク端にて形成され、ノズル及びカバーの開口の相互間を通して計量空間内の空気のみを外部に排出する空気排出部を有する請求項1又は２記載の計量式塗布容器。
【発明の詳細な説明】
【技術分野】
【０００１】
本発明は、容器内の内容物を一回使用する分だけ計量して注出、塗布するのに好適な計量式塗布容器に関するものである。
【背景技術】
【０００２】
育毛剤の如き薬液等、一回の使用量が定められているものは、容器内の薬液を取り出す際には計量する必要があり、従来は、液体を収納する容器体の口部に計量液貯留筒を設け、この計量液貯留筒を容器体に対し上昇させるとともに該容器体を反転させて該貯留筒内に液体を取り入れることによって計量を行う計量式塗布容器が知られている（例えば特許文献１参照）。
【特許文献１】特開２００２─１９３３０２号公報
【０００３】
ところで、上記従来の容器は、部品点数が多く構造が複雑であるうえ、液体の計量に際しては計量液貯留筒の上下動と容器体の反転動作を繰り返す必要があり、使い勝手がよいとはいえないものであった。
【発明の開示】
【発明が解決しようとする課題】
【０００４】
本発明の課題は、構造の簡素化を図り、簡単な操作のもとで計量して注出、塗布できる新規な計量式塗布容器を提案するところにある。
【課題を解決するための手段】
【０００５】
本発明は、容器内の内容物を計量空間へ一旦排出して計量したのち、該計量空間の内容物のみをノズルを通して注出、塗布する計量塗布容器であって、
スクイズ可能な胴部を有しその内側に内容物を収納する容器本体と、この容器本体の底部へ伸びる吸い上げ管を有し該容器本体の口部を密閉する中栓と、この中栓の外表面にて起立し該吸い上げ管につながる通路を有する筒体と、先端に開口を有し該筒体及び中栓を内側に納めて計量空間を区画形成するカバーと、前記筒体の外側にスライド可能に嵌合保持されカバーの開口において頭部を露出させたまま液密状態で摺動する胴体を有するノズルとを備え、
前記ノズルに、中栓から離れる向きへスライドさせそのストローク端にて筒体の通路と計量空間とを連通させる第１の通路と、中栓に近接する向きへスライドさせそのストローク端にてノズルの注出路と計量空間とを連通させる第２の通路をそれぞれ設けたことを特徴とする計量式塗布容器である。
【０００６】
上記の構成になる計量式塗布容器においては、ノズルをカバーとともに覆い隠して容器の口部外壁に係合保持されるオーバーキャップを備えることができ、該オーバーキャップには、その天面壁の内側にノズルの頭部に着脱自在に嵌合する凹部を設けるのが好適であり、容器に対する係合代は該ノズルのストロークよりも大きくする。
【０００７】
また、上記構成になる計量式塗布容器においては、中栓から離れる向きへのスライドによるノズルのストローク端にて形成され、ノズルおよびカバーの開口の相互間を通して計量空間内の空気のみを外部に排出する空気排出部を設けられる。
【発明の効果】
【０００８】
ノズルを交互にスライドさせる簡単な操作のみで内容物の計量と注出、塗布が可能になる。
【発明を実施するための最良の形態】
【０００９】
以下、図面を参照して本発明をより具体的に説明する。
図１は本発明にしたがう計量式塗布容器の実施の形態を示したものであり、この容器は合成樹脂にて構成される。
【００１０】
図において１はスクイズ可能な胴部を有しその内側に内容物を収納する容器本体、２は容器本体１の口部１ａに嵌合、密閉する中栓、３は容器本体１の底部へ伸びる先端を有し後端を中栓２に連結する吸い上げ管、４は中栓２の外表面にて起立（中栓２と一体成形されていてもよいし別体に成形されたものでもよい）する筒体である。この筒体４は吸い上げ管３につながる通路４ａを有する。
【００１１】
また、５は筒体４及び中栓２を内側に収めて計量空間Ｋを区画形成するカバーである。このカバー５は先端に開口５ａ（貫通孔）を有しており、その後端はねじ嵌合（アンダーカット嵌合でもよい）によって容器本体１の口部１ａの外壁に固定保持されている。
【００１２】
６は計量に係わる内容物を注出、塗布するノズルである。このノズル６は筒体４の外側にスライド可能に嵌合保持されカバー５の開口５ａにおいて頭部６ａを露出させたまま液密状態で摺動する胴体６ｂを有する。また、このノズル６の頭部６ａはその端部外周を外側へ膨出する形状とされている。
【００１３】
７はノズル６を中栓２から離れる向きへスライドさせそのストローク端（以下、上死点という）にて筒体４の通路４ａと計量空間Ｋとを連通させる第１の通路、８はノズル６を中栓２に接近する向きにスライドさせそのストローク端（これを以下、下死点という）にてノズル６の注出路６ｃと計量空間Ｋを連通させる第２の通路である。
【００１４】
また、ノズル６の上死点においては、カバー５の開口５ａとノズル６間に計量空間Ｋ内の空気のみの流通を許容する空気排出部ｐが形成されている。この空気排出部ｐは本実施例では、開口５ａの下端周囲に形成されたノズル６の隔壁が当接する下向き段部に設けられた細溝５ｂによって構成されている（図２拡大図参照）。
【００１５】
上記第１の通路７にて筒体４の通路４ａが計量空間Ｋと連通している時、ノズル６の注出路６ａと計量空間Ｋは内容物の通過が不能なように遮断されており、逆に、ノズル６の注出経路６ｃと計量空間Ｋが連通している時は筒体４の通路４ａと計量空間Ｋはノズル６の通路７直上に位置する隔壁下面に形成された凸部の筒体４の通路４ａへの挿入及び該隔壁下面と筒体４の端面との接触により遮断された状態にある。
【００１６】
さらに、９はノズル６をカバー５とともに覆い隠して容器本体１の口部外壁にねじ嵌合等によって係合保持されるオーバーキャップである。このオーバーキャップ９はその天面壁９ａの内側に下方に向けて垂下する筒部が形成され、該筒部にはノズル６の頭部６ａの膨出部にアンダーカットによって着脱自在に嵌合する凹部９ｂが設けられており、ノズル６がスライドする際のストロークよりも大きな係合代を有している。なお、凹部９ｂを形成する筒部の先端部は、オーバーキャップ９の係合状態で、カバー５の開口５ａの周囲壁部及び該壁部の外周より立ち上がる壁に密に接するようにその長さが設定されている。
【００１７】
オーバーキャップ９が取り付けられた図１に示すような状態では、ノズル６は下死点に位置し、筒体４の通路４ａと計量空間Ｋとは遮断された状態にあるため、容器本体１の胴部をスクイズしても容器内の内容物が計量空間Ｋに排出されることはない。
【００１８】
オーバーキャップ９を取り外すべく、それを回動していくと膨出部が凹部９ｂに嵌合されたノズル６はオーバーキャップ９とともに中栓２から離れる向きへとスライドしていき、図２に示すように上死点へと達し、その後オーバーキャップ９が取り外される。
【００１９】
ノズル６が上死点に達すると筒体４の通路４ａと計量空間Ｋは第１の通路７によって連通することになり、容器本体１の胴部を適宜スクイズすることで容器本体１内の内容物は吸い上げ管３、筒体４、第１の通路７を経て計量空間Ｋ内に排出される。この際、計量空間Ｋに存在した空気は、内容物の計量空間Ｋ内への排出とともにカバー開口とノズル間に空気のみの流通を許容する空気排出部ｐから外部へと排出されることになる。
【００２０】
この状態では、第２の通路８はカバー５の外側に位置しノズル６の注出路６ｃと計量空間Ｋは、カバー開口とノズル間を空気のみの流通が可能なように構成するのみで、内容物に対しては遮断されているので、容器本体１を反転させても計量空間Ｋ内に計量に係わる内容物が存在していても漏れ出ることはない。
【００２１】
計量空間Ｋ内の内容物をノズル６を通して注出、塗布するには、ノズル６の頭部６ａを塗布部位に接触させて該ノズル６を押し込む（ノズル６を中栓２に向けてスライドさせる）。
【００２２】
そうすると、図３に示すように、第２の通路８はカバー５の内側へ位置しノズル６の注出路６ｃと計量空間Ｋが第２の通路８によって連通し、計量空間Ｋ内の内容物は第２の通路８、注出路６ｃを経て速やか注出される。
【００２３】
この状態では、筒体４の通路４ａと計量空間Ｋは遮断されているので、容器本体１内の内容物が計量空間Ｋ内に流れ出ることは一切ない。
【００２４】
上記の構成になる計量式塗布容器は、容器本体１がスクイズ可能な胴部を有しているため、容器本体１を反転することなく正立状態での操作が可能であり、同状態でノズル６を上死点又は下死点にスライドさせる操作のみで容器本体１内の内容物の計量と注出、塗布が可能なので使い勝手が極めてよく、また、部品点数も少なく構造が簡素化される。
【００２５】
第１の通路７、第２の通路８は、この実施の形態ではノズル６の側壁を貫通する開口にて形成した場合を例として示したが、ノズル６をスライドさせた時に一方が開となりもう一方が閉となるものであれば、図示のものには限定されることはない。
【００２６】
なお、空気排出部ｐは少なくとも１箇所以上形成されていればよく、前掲の実施例に限るものではない。例えば、開口５ａ下端周囲の下向き段部に形成された細溝５ｂに代えて突部を形成したり、ノズル６の隔壁側に細溝や突部を形成してもよいし、また、ノズル６隔壁部と開口５ａ周囲との当接部の少なくともいずれか一方に粗面を形成するなどの方法も可能である。さらには、図示はしないがノズル６あるいはカバー５に計量空間Ｋ内の空気の排気のみを可能とする開口部を形成したり、同開口部に外方に向けてのみ開く弁機構を付加してもよい。
【産業上の利用可能性】
【００２７】
ノズルを交互にスライドさせる簡単な操作のみで内容物の計量と注出、塗布が可能な使い勝ってのよい計量式塗布容器が提供できる。
【図面の簡単な説明】
【００２８】
【図１】本発明にしたがう計量式塗布容器の実施の形態を示した図である。
【図２】図１に示した容器においてオーバーキャップを取り外した状態を示した図である。
【図３】図１に示した容器を用いて計量に係わる内容物を注出、塗布している状態を示した図である。
【符号の説明】
【００２９】
１  容器本体
１ａ  口部
２  中栓
３  吸い上げ管
４  筒体
４ａ  通路
５  カバー
５ａ  開口
５ｂ  細溝
６  ノズル
６ａ  頭部
６ｂ  胴体
６ｃ  注出路
７  第１の通路
８  第２の通路
９  オーバーキャップ
Ｋ  計量区間
ｐ  空気排出部
【図１】
2006117265.tif 000003
【図２】
2006117265.tif 000004
【図３】
2006117265.tif 000005